(57)【要約】【課題】パネルフレーム本体に鉛直方向の荷重がかかっても壁面にハラミを生じず、しかも、それを遮音性能を損なわせることなく実現することができる中空二重遮音壁用のパネルフレーム及び中空二重遮音壁を提供する。【解決手段】パネルフレーム本体２が、その高さ方向中間部領域において、左右の縦枠を連結するように取り付けられた上下方向に複数本の中間横枠６を備え、一方の面側の縦胴縁３が、いずれかの中間横枠６に連結され、該中間横枠６はもう一方の面側の縦胴縁３から離間している。また、パネルフレーム本体２のもう一方の面側の縦胴縁３が、前記連結された中間横枠６とは異なる中間横枠６に連結され、該中間横枠６は前記一方の面側の縦胴縁３から離間している。【選択図】      図１
2006177111.tif 000002
【特許請求の範囲】
【請求項１】
上下左右の枠で方形環状に組まれたパネルフレーム本体と、該パネルフレーム本体の一方の面側に、上下の横枠を連結するように取り付けられた面板取付け用の縦胴縁と、もう一方の面側に、同じく上下の横枠を連結するように取り付けられた面板取付け用の縦胴縁とを有する中空二重遮音壁用のパネルフレームであって、
前記パネルフレーム本体が、その高さ方向中間部領域において、左右の縦枠を連結するように取り付けられた上下方向に複数本の中間横枠を備え、かつ、
パネルフレーム本体の一方の面側の縦胴縁が、いずれかの中間横枠に連結されると共に、該中間横枠はもう一方の面側の縦胴縁から離間しており、
パネルフレーム本体のもう一方の面側の縦胴縁が、前記連結された中間横枠とは異なる中間横枠に連結されると共に、該中間横枠は前記一方の面側の縦胴縁から離間していることを特徴とする中空二重遮音壁用のパネルフレーム。
【請求項２】
請求項１に記載のパネルフレームの両面部のそれぞれに、縦胴縁を取付けの下地として、面板が取り付けられていることを特徴とする中空二重遮音壁の構造。
【発明の詳細な説明】
【技術分野】
【０００１】
本発明は、中空二重遮音壁用のパネルフレーム及び中空二重遮音壁に関する。
【背景技術】
【０００２】
本発明者らは、上下左右の枠で方形環状に組まれたパネルフレーム本体と、該パネルフレーム本体の一方の面側に、上下の横枠を連結するように取り付けられた面板取付け用の縦胴縁と、もう一方の面側に、同じく上下の横枠を連結するように取り付けられた面板取付け用の縦胴縁とを有するパネルフレームを用い、該パネルフレームの両面部のそれぞれに、縦胴縁を取付けの下地として、面板を取り付けて中空二重遮音壁を形成する技術の開発に取り組んでいるなかで、次のような問題を生じることがあるのに気付いた。
【発明の開示】
【発明が解決しようとする課題】
【０００３】
即ち、各面側の縦胴縁はパネルフレーム本体の中心位置から偏心して備えられるため、パネルフレーム本体に鉛直方向の荷重がかかると、各面側の縦胴縁が外側に膨み、壁面にハラミを生じてしまうのである。
【０００４】
本発明は、かかる問題点に鑑み、パネルフレーム本体に鉛直方向の荷重がかかっても壁面にハラミを生じず、しかも、それを遮音性能を損なわせることなく実現することができる中空二重遮音壁用のパネルフレーム及び中空二重遮音壁を提供することを課題とする。
【課題を解決するための手段】
【０００５】
上記の課題は、上下左右の枠で方形環状に組まれたパネルフレーム本体と、該パネルフレーム本体の一方の面側に、上下の横枠を連結するように取り付けられた面板取付け用の縦胴縁と、もう一方の面側に、同じく上下の横枠を連結するように取り付けられた面板取付け用の縦胴縁とを有する中空二重遮音壁用のパネルフレームであって、
前記パネルフレーム本体が、その高さ方向中間部領域において、左右の縦枠を連結するように取り付けられた上下方向に複数本の中間横枠を備え、かつ、
パネルフレーム本体の一方の面側の縦胴縁が、いずれかの中間横枠に連結されると共に、該中間横枠はもう一方の面側の縦胴縁から離間しており、
パネルフレーム本体のもう一方の面側の縦胴縁が、前記連結された中間横枠とは異なる中間横枠に連結されると共に、該中間横枠は前記一方の面側の縦胴縁から離間していることを特徴とする中空二重遮音壁用のパネルフレームによって解決される。
【０００６】
このパネルフレームでは、各面側の縦胴縁がそれぞれ、パネルフレーム本体の上下の横枠のほか、高さ方向中間部の中間横枠にも連結されているので、パネルフレーム本体に鉛直方向の荷重がかかっても各面側の縦胴縁が外側に撓みにくく、そのため、中空二重遮音壁の壁面にハラミを生じるのを防ぐことができる。
【０００７】
しかも、本発明のパネルフレームでは、パネルフレーム本体に中間横枠が上下方向に複数本備えられており、パネルフレーム本体の一方の面側の縦胴縁は、いずれかの中間横枠に連結されると共に、該中間横枠はもう一方の面側の縦胴縁から離間している。また、パネルフレーム本体のもう一方の面側の縦胴縁は、前記連結された中間横枠とは異なる中間横枠に連結されると共に、該中間横枠は前記一方の面側の縦胴縁から離間している。従って、中間横枠がサウンドブリッジとなって音が一方の室からもう一方の室に伝わることがなく、中空二重遮音壁の遮音性能を損なわせることもない。
【０００８】
また、上記の課題は、前記パネルフレームの両面部のそれぞれに、縦胴縁を取付けの下地として、面板が取り付けられていることを特徴とする中空二重遮音壁の構造によって、同様に解決される。
【発明の効果】
【０００９】
本発明は、以上のとおりのものであるから、パネルフレーム本体に鉛直方向の荷重がかかっても壁面にハラミを生じず、しかも、それを遮音性能を損なわせることなく実現することができる。
【発明を実施するための最良の形態】
【００１０】
次に、本発明の実施最良形態を図面に基づいて説明する。
【００１１】
図１〜図４に示す第１実施形態において、１は中空二重遮音壁用のパネルフレームであり、該パネルフレーム１は、金属製で、図１及び図２に示すように、パネルフレーム本体２と、面板取付け用の縦胴縁３…，３…とで構成されている。
【００１２】
パネルフレーム本体２は、上下の横枠４，４と左右の縦枠５，５を方形環状に組んで一体化したもので、その高さ方向中間部領域には、左右の縦枠５，５を連結するように上下方向に４本の中間横枠６…が上下方向に互いに間隔をおくようにして取り付けられている。
【００１３】
具体的には、４本の中間横枠６…は、そのうちの２本が対となってスリット形吸音器の頸部を形成するように上下方向に隙間をおいて隣り合わされ、高さ方向中央部よりも上寄りに位置して備えられ、また、残る２本も対となってスリット形吸音器の頸部を形成するように上下方向に隙間をおいて隣り合わされ、高さ方向中央部よりも下寄りに位置して備えられている。７，７は帯板状のブレースで、それらの端部をパネルフレーム本体２の四隅に連結してＸ字状に備えられている。
【００１４】
縦胴縁３は、パネルフレーム本体２の一方の面側ともう一方の面側とにそれぞれ、複数本ずつ横方向に互いに間隔をおいて、上下の横枠４，４を連結するように溶接などで取り付けられており、その状態で、パネルフレーム本体２の各中間横枠６…は、縦胴縁３…，３…から離間した状態になる。
【００１５】
そして、一方の面側の各縦胴縁３…は、図３及び図４に示すように、上記の４本の中間横枠６…のうちの上寄りの対の中間横枠６，６のいずれか一方、例えば下側の中間横枠６に対して金物８で連結され、その中間横枠６はもう一方の面側の縦胴縁３…から離間した状態のままにされている。
【００１６】
また、もう一方の面側の各縦胴縁３…は、上記の４本の中間横枠６…のうちの下寄りの対の中間横枠６，６のいずれか一方、例えば上側の中間横枠６に対して金物８で連結され、その中間横枠６は前記一方の面側の縦胴縁３…から離間した状態のままにされている。
【００１７】
上記の金物８は、図３及び図４に示すように、ピース物のＬ形材からなっていて、短辺側の先端が中間横枠６に溶接などで取り付けられ、長辺側は中間横枠６と平行に向けられて先端はフリーにされており、長辺先端側でブレース７を逃がすことができるようになされており、また、ブレース７と交差しない部分についても、同様の形態の金具が用いられており、縦胴縁３は、長辺側の背面部に溶接などで取り付けられている。
【００１８】
そして、上記のパネルフレーム１は、図３に示すように、その両面部に、縦胴縁３…，３…を下地として石膏ボード等の面板９，９が取り付けられることにより、中空二重遮音壁１０を構成する。なお、中空層内には、必要に応じて、グラスウール等の多孔性吸音材が設置される。
【００１９】
上記のようなパネルフレーム１を用いた中空二重遮音壁１０では、各面側の縦胴縁３…，３…がそれぞれ、パネルフレーム本体２の上下の横枠４，４のほか、高さ方向中間部の中間横枠６，６にも連結されているので、パネルフレーム本体２に鉛直方向の荷重がかかっても各面側の縦胴縁３…，３…は外側に撓もうとするのが抑制され、そのため、中空二重遮音壁１０の壁面にハラミを生じるのを防ぐことができる。
【００２０】
しかも、パネルフレーム本体２の一方の面側の縦胴縁３…は、中間横枠６に金物８で連結されているが、その中間横枠６はもう一方の面側の縦胴縁から離間しており、また、パネルフレーム本体のもう一方の面側の縦胴縁３…も、前記連結された中間横枠６とは異なる中間横枠６に連結されているが、該中間横枠６は前記一方の面側の縦胴縁３…から離間しており、縦胴縁３…，３…との連結に用いられていない中間横枠６，６は、いずれの縦胴縁３…，３…からも離間しているので、中間横枠６…がサウンドブリッジとなって音が一方の室からもう一方の室に伝わることがなく、中空二重遮音壁１０の遮音性能を損なわせることもない。
【００２１】
図５〜図８に示す第２実施形態のパネルフレーム１は、図５及び図６に示すように、スリット形吸音器の頸部を形成する対の中間横枠６，６が、パネルフレーム本体２の高さ方向中央位置に一組備えられ、また、各面側には、縦胴縁３が５本づつ備えられている。
【００２２】
そして、一方の面側の各縦胴縁３…は、図７及び図８に示すように、上記の２本の中間横枠６，６のうちのいずれか一方に対して金物８で連結され、その中間横枠６はもう一方の面側の縦胴縁３…から離間した状態のままにされている。
【００２３】
また、もう一方の面側の各縦胴縁３…は、上記の２本の中間横枠６，６のもう一方に対して金物８で連結され、その中間横枠６は前記一方の面側の縦胴縁３…から離間した状態のままにされている。
【００２４】
金物８は、図７及び図８に示すように、扁平Ｃ形ピース材からなっていて、両脚部の先端が中間横枠６に溶接などで取り付けられ、中間辺の背面側に縦胴縁３が溶接などで取り付けられている。なお、図７（ロ）に示すように、ブレース７を逃がす部分では広幅の金物８が用いられ、図７（ハ）に示すように、そうでない部分では、狭幅の金物８が用いられている。
【００２５】
本実施形態においても、第１実施形態の場合と同様の理由から、パネルフレーム本体２に鉛直方向の荷重がかかっても壁面にハラミを生じず、しかも、それを遮音性能を損なわせることなく実現することができる。
【００２６】
以上に、本発明の実施形態を示したが、本発明はこれに限られるものではなく、発明思想を逸脱しない範囲で各種の変更が可能である。例えば、上記の実施形態では、縦胴縁３…と中間横枠６とを、特定形態の金物８…を用いて連結した場合を示しているが、金物の形態に制限はなく、各種形態の金物が用いられてよい。また、縦胴縁３…と中間横枠６との連結は、金物によらず、例えば、複数の中間横枠を前後方向において相互に偏心させ千鳥配置にすることなどによって、直接連結するようにしてもよい。
【００２７】
また、中間横枠による縦胴縁の連結は、高さ方向中間部の一箇所とするのが遮音性能上好ましいが、必要に応じて高さ方向中間部の複数箇所としてもよい。
【００２８】
更に、各面側に縦胴縁が複数本づつ備えられている場合は、一方の面側の一部の縦胴縁を中間横枠と連結し、もう一方の面側の対応する一部の縦胴縁と中間横枠とを離間させ、前記一方の面側の残りの縦胴縁を中間横枠と離間させ、前記もう一方の面側の残りの縦胴縁を中間横枠と連結した構造とするのもよい。
【図面の簡単な説明】
【００２９】
【図１】第１実施形態の中空二重遮音壁用パネルフレームを示すもので、図（イ）は全体正面図、図（ロ）は図（イ）のＩ−Ｉ線矢視図、図（ハ）は平面図である。
【図２】図（イ）は要部正面図、図（ロ）は、図（イ）のＩ−Ｉ線矢視図である。
【図３】縦胴縁と中間横枠との連結部の構造を示すもので、図（イ）は正面図、図（ロ）は図（イ）のＩＩＩ−ＩＩＩ線断面矢視図、図（ハ）は図（イ）のＩＶ−ＩＶ線断面矢視図である。
【図４】縦胴縁と中間横枠との連結部の構造を示す分解斜視図である。
【図５】第２実施形態の中空二重遮音壁用パネルフレームを示すもので、図（イ）は全体正面図、図（ロ）は断面側面図、図（ハ）は平面図である。
【図６】図（イ）は要部正面図、図（ロ）は図（イ）のＩＩ−ＩＩ線矢視図である。
【図７】縦胴縁と中間横枠との連結部の構造を示すもので、図（イ）は正面図、図（ロ）は図（イ）のＶ−Ｖ線断面矢視図、図（ハ）は図（イ）のＶＩ−ＶＩ線断面矢視図、図（ニ）は図（イ）のＶＩＩ−ＶＩＩ線断面矢視図である。
【図８】図（イ）及び図（ロ）はそれぞれ、縦胴縁と中間横枠との連結部の構造を示す分解斜視図である。
【符号の説明】
【００３０】
１…パネルフレーム
２…パネルフレーム本体
３…縦胴縁
４…横枠
５…縦枠
６…中間横枠
８…金物
９…面板
１０…中空二重遮音壁
【図１】
2006177111.tif 000003
【図２】
2006177111.tif 000004
【図３】
2006177111.tif 000005
【図４】
2006177111.tif 000006
【図５】
2006177111.tif 000007
【図６】
2006177111.tif 000008
【図７】
2006177111.tif 000009
【図８】
2006177111.tif 000010